(57)【特許請求の範囲】
【請求項１】
頭部と、軸部とからなり、軸部は、頭部側の円筒部と尖端側のねじ部とを有し、前記頭部下面の座面から前記円筒部にかけて軸方向へ延びるリブが周方向に複数本配列され、前記リブの延在する軸方向長さが、止着対象となる最外層の建材の厚さを越えない長さとされ、前記ねじ部の軸長さが止着対象となる前記最外層の建材の次層に位置する外壁材の厚さにほぼ等しくされ、前記円筒部の軸長さが止着対象となる前記最外層の建材の厚さを越える長さとされてなり、前記リブは前記座面に設ける座面部と前記円筒部に設ける円筒部部分とを食い違い位置に、不連続な状態に形成したことを特徴とする建材用ビス。
【発明の詳細な説明】
【０００１】
【発明の属する技術分野】
この発明は、建材用ビス及び建材の留め付け方法に関する。
【０００２】
【従来の技術】
従来、繊維補強セメント製壁板などの窯業系壁板１で外張りされた外壁の出隅部２を構築する手段として、図９に示すように外壁出隅部２の外面に断面Ｌ字状の長尺の出隅役物３を張り付け、外観を整える場合がある。
【０００３】
この出隅役物３の取り付け手段としては図示のように張り付けられた壁板１の表面に出隅役物３を当てがい、この出隅役物３表面から適当な間隔で表面から釘、ビスなどの止着具５を柱など基礎６へ打ちこんで止着することが行われている。なお、図中７は防水下地シートを示す。
【０００４】
【発明が解決しようとする課題】
しかし、このような止着手段は、止着具５の頭部が出隅役物３表面に露出したままとなるので、出隅役物３の外観が悪くなる問題があった。
【０００５】
また、この出隅役物３をビスで止着する場合は、出隅役物３の表面からねじ込んだ場合、図１０に示すように出隅役物３を貫通したねじ部が引き続き下地の壁板１に食い込んだとき、下地壁板１及び下地基礎６への食い込み速度とねじピッチの相違に起因して出隅役物３が浮き上がって変形したり、はなはだしい場合は割れたりすることがある。
【０００６】
このような問題は、出隅役物３の止着部分に図１１に示すように予めビス５のねじ径より大で、頭部径より小の貫通孔８を穿設しておけば良いが、長尺の出隅役物の場合、貫通孔８の数が多数に上り、しかも、取り付けの際、必ずしもすべての貫通孔８にビスを打ち込まなくても良いので、この場合、使用されなかった貫通孔８が出隅役物３表面に開口する孔として目立つ場合があり、外観上好ましくない問題があった。
【０００７】
この発明は、上記問題を解消し、目立つ貫通孔を設けなくても出隅役物などを確実容易に取り付けることを課題としてなされたものである。
【０００８】
【課題を解決するための手段】
上記目的を達成するため、請求項１の建材用ビスは、頭部と、軸部とからなり、軸部は、頭部側の円筒部と尖端側のねじ部とを有し、前記頭部下面の座面から前記円筒部にかけて軸方向へ延びるリブが周方向に複数本配列され、前記リブの延在する軸方向長さが、止着対象となる最外層の建材の厚さを越えない長さとされ、前記ねじ部の軸長さが止着対象となる前記最外層の建材の次層に位置する外壁材の厚さにほぼ等しくされ、前記円筒部の軸長さが止着対象となる前記最外層の建材の厚さを越える長さとされてなり、前記リブは前記座面に設ける座面部と前記円筒部に設ける円筒部部分とを食い違い位置に、不連続な状態に形成したものである。
【０００９】
従って、この建材用ビスは、先端部を打ち込んだ後、ねじ込んでいけば、そのまま建材へとねじ込まれていくが、軸部全体にねじが設けられていないので、ねじ送り機能による表面側の建材に無理な力が加わることがなく、安全に止着することができる。
【００１０】
また、座面から円筒部にかけて軸方向へリブが設けられ、このリブによってねじ込み時に座ぐりが行われるので、貫通孔を予め穿設していなくてもビスを建材表面と同一面となるまで容易にねじ込むことができ、外観も良くすることができる。
【００１２】
ビスは、最外層の建材の次層に位置する外壁材だけでは足りず、外壁材が止着されている壁基礎にまで達していなければならない。
この場合、ねじ部の長さが次層の外壁材の厚さと同じ長さとされているので、ビスがこの外壁材を貫通したときは、最外層の建材にはねじ部が係らず、円筒部が延在するだけとなるので、下地材へのねじ込み速度とねじの送りピッチの不一致による最外層建材の浮きあがりが確実に防止できる。
【００１６】
【実施の形態】
次にこの発明の実施の形態を説明する。
図１はこの発明の実施の形態である建材用ビスの側面図である。
【００１７】
図１において、建材用ビス１０は、頭部１１と軸部１２とからなり軸部１２は頭部１１側の円筒部１３と尖端１４側のねじ部１５とを有している。
そして、頭部１１下面の座面１６から円筒部１３にかけ軸方向に延びるリブ１７が周方向に複数本配列されている。
【００１８】
このリブ１７の軸方向の長さＬ1は止着対象となる最外層の建材１８（図４）の厚みＴ1を越えない長さとされている。
また、リブ１７の形態として、座面１６から円筒部１３にかけて一本の連続形状とした場合を示したが、図２に示すように座面１６部分と円筒部１３部分とで不連続になるようにしてもよく、また、図３に示すようにスパイラル状に形成しても良い。
また、ねじ部１５の長さＬ2は、止着対象となる最外層の建材１８の次層に位置する外壁材１９の厚さＴ2にほぼ等しくされている。
【００１９】
ビス１０が外壁材１９を完全に貫通すれば、ねじ部１５が最外層の建材１８から抜け出てしまうようにするためである。
円筒部１３の軸長さＬ3は、建材１８の厚さよりも長くされ、通常では、最外層の建材１８の厚さＴ1と次層に位置する外壁材１９の厚さＴ2の合計にほぼ等しい長さとされる。
【００２０】
外壁材１９を貫通しその下地材にねじ部が確実にかかった状態となれば良いからである。
また、円筒部１３の径ｂは、先端部の径ａより大きくされている。従って、円筒部１３がねじ込まれた場合、下地材に穿設されたねじ孔との隙間がきわめて小さく、防水性も良い。
【００２１】
次に、上記建材用ビス１０を用いた建材の留め付け方法を説明する。
まず、図４に示すように、ビス１０を打ちこむ場所に小さな凹部２０を形成した最外層建材１８を、次層建材１９で構成された壁面に配置した後、適当な凹部２０を選択し、そこへ建材用ビス１０の尖端１４を打ちこむ。
【００２２】
ねじ部１５が最外層建材１８に食い込めば、トルクを与えて建材用ビスをねじ込んで行く。
図５に示すように最外層建材１８を貫通し尖端１４が次層建材１９へとねじ込まれていくと、次層建材１９へのねじ込まれていく速度と、ねじ自体の送りピッチの相違より最外層建材１８は図６に示すように持ち上げられ、局部的に変形する。
【００２３】
しかし、ねじ部１５の長さＬ2の長さが次層建材１９の厚さＴ2にほぼ等しくされているので、ねじ部１５が次層建材１９を貫通し下地基礎２１へとねじ込まれ出すと直ちに最外層建材１９とのねじ嵌合が解かれ、変形を起こしていた最外層建材１８は図７に示すように直ちに復元する。
【００２４】
従って、ビス１０による変形はきわめて少なくされ、悪影響は殆どない。
さらにビス１０を下地基礎２１へとねじ込んでいき、頭部１１が最外層建材１８に近づくと、リブにより今までビス１０が貫通してきた孔の内面を削り始め、最終的には図８に示すように頭部１１が完全に入りこんでしまう孔が切削される。
【００２５】
このとき、リブ１７の形状を図２に示すような食い違い位置にしておくと、切削により生じた切り粉がリブの間をすり抜けて行きやすく、切り粉が切削の弊害となることがない。
【００２６】
また、図３に示すようにスパイラル状にしておけば、切りこみに従って、切り粉が排出されるので、さらに切り粉が切削の弊害となることがない。
従って、ねじ込んで行くだけでビス１０は最外層建材１８の表面と面一状態となるまでねじ込まれる。
【００２７】
このように、最外層建材１８に予めビス用の貫通孔を穿設していなくても最外層建材に無理な変形を起こさせることなく確実に最終段階までビス１０をねじ込むことができる。このとき、図１に示したようにａ＜ｂとした場合、次層建材１９との隙間が殆どできないのでシール性が良くなる。
【００２８】
そして、最外層建材の表面には、尖端１４が打ちこまれるための小さな凹部があるだけであるので、ビス止めに使用しない凹部があっても、これは殆ど目立たず、外観も良好な取り付け状態とすることができる。
【００２９】
【発明の効果】
以上説明したように、請求項１の建材用ビスによれば、薄い建材を表面から止着具を打ちこんで止着するようにした場合、下孔を穿設することなく、小さな凹みを形成するだけで止着具を打ちこむことができ、しかも止着具を使用しない部分が残ったとしても、そこには小さな凹みしか残らないので、目立たず、建材表面の外観を損ねることがない。
【００３０】
また、止着具をねじ込んで頭部が建材表面に接すれば、リブにより削られて座ぐりされ、従ってビス頭部が健在表面と面一状態になり、止着部の頭部も目立たないようになり、仕上がった壁面の外観が良くなる。
【図面の簡単な説明】
【図１】この発明の実施の形態である建材用ビスの側面図である。
【図２】この発明の実施の形態である建材用ビスの他の構成例の側面図である。
【図３】この発明の実施の形態である建材用ビスの、さらに他の構成例の側面図である。
【図４】建材用ビスを用いた建材の留め付け方法を示す説明断面図である。
【図５】建材用ビスを用いた建材の留め付け方法を示す説明断面図である。
【図６】建材用ビスを用いた建材の留め付け方法を示す説明断面図である。
【図７】建材用ビスを用いた建材の留め付け方法を示す説明断面図である。
【図８】建材用ビスを用いた建材の留め付け方法を示す説明断面図である。
【図９】従来の建材の留め付け手段を示す説明断面図である。
【図１０】従来の建材の留め付け手段における問題点を示す説明断面図である。
【図１１】従来の建材の留め付け手段における問題点を示す説明断面図である。
【符号の説明】
１０    出隅役物の留め付け金具
１１    頭部
１２    軸部
１３    円筒部
１４    尖端
１５    ねじ部
１６    座面
１７    リブ部
１８    最外層建材
１９    次層建材
２０    凹部
２１    基礎
【図１】
0004183434.tif 000002
【図２】
0004183434.tif 000003
【図３】
0004183434.tif 000004
【図４】
0004183434.tif 000005
【図５】
0004183434.tif 000006
【図６】
0004183434.tif 000007
【図７】
0004183434.tif 000008
【図８】
0004183434.tif 000009
【図９】
0004183434.tif 000010
【図１０】
0004183434.tif 000011
【図１１】
0004183434.tif 000012